(57)【要約】      （修正有）【課題】収納物の出し入れが容易なファイルを提供する。【解決手段】ファイルは、第一シート１１と、該第一シート１１に重ねて配置された第二シート１２との間に形成される収納部と、第一シート１１及び第二シート１２が接続されて形成される閉塞部１３１，１３２と、収納部に収納物を出し入れ可能に形成される開口部１４１，１４２と、を備える。第一シート１１は、開口部１４１側の縁部に非対称の切欠部１１２Ｂを有する。【選択図】図３
2020055188.tif 000002
【特許請求の範囲】
【請求項１】
第一シートと、該第一シートに重ねて配置された第二シートとの間に形成される収納部と、
前記第一シート及び前記第二シートが接続されて形成される閉塞部と、
前記収納部に収納物を出し入れ可能に形成される開口部と、
を備え、
前記第一シートは、前記開口部側の縁部に非対称の切欠部を有する、
ことを特徴とするファイル。
【請求項２】
前記切欠部は、前記縁部の一方端側に形成され、前記縁部の前記一方端側と接続される第一凸湾曲部と、前記縁部の他方端側と接続される第二凸湾曲部と、前記第一凸湾曲部及び前記第二凸湾曲部と接続される凹湾曲部とを含み、
前記第一凸湾曲部の第一曲率半径は、前記第二凸湾曲部の第二曲率半径よりも小さく、
前記第二曲率半径は、前記凹湾曲部の第三曲率半径よりも大きい、
ことを特徴とする請求項１に記載のファイル。
【請求項３】
前記第一凸湾曲部及び前記第二凸湾曲部の各円弧は、直線状に形成される前記縁部と外接するように形成され、
前記第一凸湾曲部及び前記第二凸湾曲部は、前記凹湾曲部と変曲点を介して接続される、
ことを特徴とする請求項２に記載のファイル。
【請求項４】
前記切欠部の切欠深さは、７．６ｍｍ以上１９ｍｍ以下であることを特徴とする請求項２又は請求項３に記載のファイル。
【請求項５】
前記閉塞部は一体のシート部材を折り曲げて形成される折曲部であり、
前記切欠部の形状は、前記切欠部が形成される前記第一シートの前記縁部が長くなると、前記第一曲率半径、前記第二曲率半径及び前記第三曲率半径が変化しない又は増加し、且つ、前記第一曲率半径及び前記第三曲率半径の増加量に比べて前記第二曲率半径の増加量が変化しない又は大きくなるように設定される、
ことを特徴とする請求項２乃至請求項４の何れかに記載のファイル。
【発明の詳細な説明】
【技術分野】
【０００１】
本発明は、書類を収納するファイルに関する。
【背景技術】
【０００２】
従来から、開口縁片に切欠が設けられた、書類等の収納物を収納するファイルが提案されている。例えば、特許文献１には、書類を整理保管するためのファイル（クリアーホルダー）が開示されている。このファイルでは、右側面下部の溶着で書類が落ちにくいようにしてあり、正面の表紙部の右側辺に形成された切欠部（指ぬき部）が円弧状に構成され指を掛けやすいものとしている。使用者はこのような切欠部に親指を掛ける等してファイルを開き、書類を収納したり取り出したりすることができる。
【先行技術文献】
【特許文献】
【０００３】
【特許文献１】意匠登録第１４４７３９４号公報
【発明の概要】
【発明が解決しようとする課題】
【０００４】
ファイルを開く操作は、切欠部の周辺を把持し、切欠部に露出する奥側に対向するシートを親指の先端側で捲るなどして２枚のシートを離間させて行われる。しかし特許文献１では、ファイルの切欠部が対称形状であるため、ファイルを把持しながら切欠部に親指を当てると、切欠部の下端内縁の一部と親指とが干渉してシートを捲りにくくなることが想定される。
【０００５】
本発明は、以上の点に鑑み、収納物の出し入れが容易なファイルを提供することを目的とする。
【課題を解決するための手段】
【０００６】
本発明に係るファイルは、第一シートと、該第一シートに重ねて配置された第二シートとの間に形成される収納部と、前記第一シート及び前記第二シートが接続されて形成される閉塞部と、前記収納部に収納物を出し入れ可能に形成される開口部と、を備え、前記第一シートは、前記開口部側の縁部に非対称の切欠部を有する、ことを特徴とする。
【発明の効果】
【０００７】
本発明によれば、収納物の出し入れが容易なファイルを提供することができる。
【図面の簡単な説明】
【０００８】
【図１】本発明の実施形態に係るＡ４サイズのクリアーホルダーであるファイルの平面図である。
【図２】本発明の実施形態に係る切欠部の拡大図であり、（ａ）は図１のファイルのＩＩ−ＩＩ拡大断面図であり、（ｂ）はファイルの切欠部周辺の拡大平面図である。
【図３】本発明の実施形態に係るファイルの平面図であり、（ａ）はＡ２サイズのクリアーホルダーを示し、（ｂ）はＡ３サイズのクリアーホルダーを示す。
【図４】本発明の実施形態に係るファイルの平面図であり、（ａ）はＡ５サイズのクリアーホルダーを示し、（ｂ）はＢ４サイズのクリアーホルダーを示す。
【図５】本発明の実施形態に係るファイルの平面図であり、（ａ）はＢ５サイズのクリアーホルダーを示し、（ｂ）は長形３号サイズの封筒用のクリアーホルダーを示す。
【図６】本発明の実施形態に係るファイルの平面図であり、（ａ）は長形４号サイズの封筒用のクリアーホルダーを示し、（ｂ）は洋型２号サイズの封筒用のクリアーホルダーを示す。
【図７】本発明の実施形態に係るＡ４サイズの縦形のレールホルダであるファイルを示す図であり、（ａ）は平面図を示し、（ｂ）は図７（ａ）のＶＩＩ−ＶＩＩ断面図を示す。
【図８】本発明の実施形態に係るファイルの平面図であり、（ａ）はＡ３サイズの横形のレールホルダを示し、（ｂ）はＡ４サイズの横形のレールホルダを示す。
【図９】本発明の実施形態に係るＢ４サイズの横形のレールホルダの平面図である。
【図１０】本発明の実施形態に係る各ファイルの寸法を示す図である。
【発明を実施するための形態】
【０００９】
（適用例１）
以下、図に基づいて本発明の実施形態の適用例１を説明する。図１は、ファイル１Ａを平面から見た図である。本実施形態のファイル１Ａは、ポリプロピレン等の樹脂により形成され、破線で示す収納物であるＡ４サイズの書類Ｐ１，Ｐ２を収納することができる略矩形状のクリアーホルダーである。ファイル１Ａは１枚のシート部材を二つ折りにして重ねて内部に収納部１５１を形成している。二つ折りにした手前側の第一シート１１の上縁部１１ａ、右縁部１１ｂ及び下縁部１１ｃは、それぞれ奥側の第二シート１２の上縁部１２ａ、右縁部１２ｂ及び下縁部１２ｃと対応して重ね合わせられる。第一シート１１及び第二シート１２の左縁部は、一体のシート部材の上端から下端に亘って折り曲げられた折曲部として形成されて、ファイル１Ａの閉塞部１３１を構成する。第一シート１１及び第二シート１２は、閉塞部１３１において接続されている。
【００１０】
また、ファイル１Ａの下縁部１１ｃ，１２ｃ側には、超音波溶着等により間欠的に接続された溶着部１３２ａが形成される。この溶着部１３２ａにより、第一シート１１及び第二シート１２が接続されてファイル１Ａの下縁部１１ｃ，１２ｃ側の閉塞部１３２が形成される。
【００１１】
ファイル１Ａの上縁部１１ａ，１２ａ側及び右縁部１１ｂ，１２ｂ側には、収納部１５１内に収納物を出し入れ可能な開口部１４１，１４２が形成される。使用者は、開口部１４１，１４２において第一シート１１及び第二シート１２を指で離間させる等して収納部１５１内に書類Ｐ１，Ｐ２を出し入れすることができる。ファイル１Ａの開口部１４１側の右上角部（一方端１１ｂ１側の角部）及び右下角部（他方端１１ｂ２側の角部）はＲ面取りされており、使用者を怪我等から保護することができる。
【００１２】
第一シート１１の右縁部１１ｂの他方端１１ｂ２側には、切欠部１１１が形成される。切欠部１１１は、底部に相当する凹湾曲部１１１ａと、凹湾曲部１１１ａから一方端１１ｂ１側の右縁部１１ｂと接続される上側縁辺１１１ｂと、凹湾曲部１１１ａから他方端１１ｂ２側の右縁部１１ｂと接続される下側縁片１１１ｃとにより形成される。下側縁片１１１ｃは、下縁部１１ｃと略平行となるように形成される。上側縁辺１１１ｂは、切欠部１１１の切り欠き幅が右縁部１１ｂ側へ向かって徐々に拡開するように、下縁部１１ｃに対して傾斜して略直線状に形成される。複数形成された溶着部１３２ａのうち、右縁部１１ｂ側の溶着部１３２ａは切欠部１１１の下方に配置される。
【００１３】
このような切欠部１１１により、開口部１４１，１４２の開閉操作が繰り返されても、溶着部１３２ａが破断することを防ぐことができる。
【００１４】
第一シート１１の右縁部１１ｂの一方端１１ｂ１側には、非対称の切欠部１１２Ａが形成される。切欠部１１２Ａは、右縁部１１ｂの一方端１１ｂ１側と接続される第一凸湾曲部１１２ａと、右縁部１１ｂの他方端１１ｂ２側と接続される第二凸湾曲部１１２ｂと、第一凸湾曲部１１２ａ及び第二凸湾曲部１１２ｂと接続される凹湾曲部１１２ｃとを含む。第一凸湾曲部１１２ａの曲率半径Ｒ１（第一曲率半径）は第二凸湾曲部１１２ｂの曲率半径Ｒ２（第二曲率半径）以下となるように形成される。また、第二凸湾曲部１１２ｂの曲率半径Ｒ２は凹湾曲部１１２ｃの曲率半径Ｒ３の約４倍となるように形成される（図１０も参照）。
【００１５】
図２（ａ）は、図１のファイル１ＡのＩＩ−ＩＩ拡大断面図である。第一シート１１及び第二シート１２は、各右縁部１１ｂ，１２ｂが揃うように重ねられる。ファイル１Ａは、第一シート１１及び第二シート１２との間に収納部１５１を形成している。図２（ａ）では、収納部１５１内にＡ４サイズの用紙である書類Ｐ１及び書類Ｐ２が重ねて収納されている様子を示している。ファイル１Ａでは、書類Ｐ１，Ｐ２が露出しない寸法で切欠部１１２Ａが形成される。
【００１６】
図２（ｂ）はファイル１Ａの切欠部１１２Ａ周辺の拡大平面図である。ここで、ファイル１Ａ及び切欠部１１２Ａの寸法について図１０を参照しながら説明する。なお、図１０における数値の単位はいずれも「ｍｍ」である。
【００１７】
適用例１のファイル１Ａでは、横辺（上縁部１１ａ，１２ａ及び下縁部１１ｃ，１２ｃ）が２２０ｍｍであり、縦辺（右縁部１１ｂ，１２ｂ）が３１０ｍｍとなるように形成される。また、切欠部１１２Ａについては、第一凸湾曲部１１２ａの曲率半径Ｒ１（第一曲率半径）は１０．５ｍｍ、第二凸湾曲部１１２ｂの曲率半径Ｒ２（第二曲率半径）は９５ｍｍ、凹湾曲部１１２ｃの曲率半径Ｒ３（第三曲率半径）は２３．５ｍｍである。したがって、切欠部１１２Ａは上下方向に非対称となるように形成される。第一凸湾曲部１１２ａ及び第二凸湾曲部１１２ｂの各円弧は、略直線状に形成される右縁部１１ｂと外接するように形成される。また、第一凸湾曲部１１２ａ及び第二凸湾曲部１１２ｂは、凹湾曲部１１２ｃと変曲点を介して屈折することなく接続される。そのため、右縁部１１ｂと切欠部１１２Ａとは滑らかに接続されて、ファイル１Ａを封筒袋などに収納する際に袋を傷つけることを防止したり、使用者がファイル１Ａを扱う際の怪我を防止することができる。
【００１８】
また、切欠部１１２Ａを形成したファイル１Ａは収納物である書類Ｐ１，Ｐ２の出し入れを容易に行うことができる。図２（ｂ）では、使用者が二点鎖線で示す右手の親指でファイル１Ａを捲る様子を示している。ファイル１Ａには第二シート１２の一部が露出するように切欠部１１２Ａが形成されているため、使用者は、この切欠部１１２Ａに右手の親指の腹を当てて第二シート１２の右縁部１２ｂを第一シート１１から容易に離間させることができる。従って、使用者は開口部１４１を開いて収納部１５１に書類Ｐ１，Ｐ２を容易に出し入れすることができる。
【００１９】
また、図１０の各ファイル１Ａ〜１Ｍに対応する露出量Ｌ２の値は、切欠部１１２Ａ〜１１２Ｍにおける書類Ｐ１，Ｐ２の露出量を正として示し、被覆量を負として示している。ファイル１Ａでは、露出量Ｌ２が−２ｍｍであるため、切欠部１１２Ａにおいて書類Ｐ１，Ｐ２が覆われるように設定されている。従って、ファイル１Ａ内に収納した書類Ｐ１，Ｐ２は全体が覆われて、汚損から保護することができる（図１も参照）。
【００２０】
以上、適用例１ではファイル１ＡがＡ４サイズの用紙を収納可能なクリアーホルダーである例について説明したが、ファイル１Ａに設けた切欠部１１２Ａは、他のサイズの書類を収納可能なクリアーホルダーに適用することもできる。ここで、適用例２〜適用例６としてＡ２、Ａ３、Ａ５、Ｂ４、Ｂ５サイズの用紙を収納可能なクリアーホルダー（ファイル１Ｂ〜１Ｆ）に切欠部を設けた例について説明する。
【００２１】
（適用例２）
図３（ａ）は適用例２におけるＡ２サイズの書類を収納するファイル１Ｂを示す図である。ファイル１Ｂは、横辺（上縁部１１ａ，１２ａ及び下縁部１１ｃ，１２ｃ）が４３５ｍｍであり、縦辺（右縁部１１ｂ，１２ｂ）が６１０ｍｍとなるように形成される。また、切欠部１１２Ｂにおいて、第一凸湾曲部１１２ａの曲率半径Ｒ１は２１ｍｍ、第二凸湾曲部１１２ｂの曲率半径Ｒ２は１９０ｍｍ、凹湾曲部１１２ｃの曲率半径Ｒ３は４７ｍｍである。
【００２２】
（適用例３）
図３（ｂ）は適用例３におけるＡ３サイズの書類を収納するファイル１Ｃを示す図である。ファイル１Ｃは、横辺（上縁部１１ａ，１２ａ及び下縁部１１ｃ，１２ｃ）が３１０ｍｍであり、縦辺（右縁部１１ｂ，１２ｂ）が４３０ｍｍとなるように形成される。また、切欠部１１２Ｃにおいて、第一凸湾曲部１１２ａの曲率半径Ｒ１は１６ｍｍ、第二凸湾曲部１１２ｂの曲率半径Ｒ２は１４２ｍｍ、凹湾曲部１１２ｃの曲率半径Ｒ３は３５ｍｍである。
【００２３】
（適用例４）
図４（ａ）は適用例４におけるＡ５サイズの書類を収納するファイル１Ｄを示す図である。ファイル１Ｄは、横辺（上縁部１１ａ，１２ａ及び下縁部１１ｃ，１２ｃ）が１５８ｍｍであり、縦辺（右縁部１１ｂ，１２ｂ）が２２０ｍｍとなるように形成される。また、切欠部１１２Ｄにおいて、第一凸湾曲部１１２ａの曲率半径Ｒ１は１０．５ｍｍ、第二凸湾曲部１１２ｂの曲率半径Ｒ２は９５ｍｍ、凹湾曲部１１２ｃの曲率半径Ｒ３は２３．５ｍｍである。
【００２４】
（適用例５）
図４（ｂ）は適用例５におけるＢ４サイズの書類を収納するファイル１Ｅを示す図である。ファイル１Ｅは、横辺（上縁部１１ａ，１２ａ及び下縁部１１ｃ，１２ｃ）が２７０ｍｍであり、縦辺（右縁部１１ｂ，１２ｂ）が３８０ｍｍとなるように形成される。また、切欠部１１２Ｅにおいて、第一凸湾曲部１１２ａの曲率半径Ｒ１は１３ｍｍ、第二凸湾曲部１１２ｂの曲率半径Ｒ２は１１８ｍｍ、凹湾曲部１１２ｃの曲率半径Ｒ３は２９ｍｍである。
【００２５】
（適用例６）
図５（ａ）は適用例６におけるＢ５サイズの書類を収納するファイル１Ｆを示す図である。ファイル１Ｆは、横辺（上縁部１１ａ，１２ａ及び下縁部１１ｃ，１２ｃ）が１９３ｍｍであり、縦辺（右縁部１１ｂ，１２ｂ）が２７０ｍｍとなるように形成される。また、切欠部１１２Ｆにおいて、第一凸湾曲部１１２ａの曲率半径Ｒ１は１０．５ｍｍ、第二凸湾曲部１１２ｂの曲率半径Ｒ２は９５ｍｍ、凹湾曲部１１２ｃの曲率半径Ｒ３は２３．５ｍｍである。
【００２６】
クリアーホルダーとして示したファイル１Ａ〜１Ｆは、図１０に示すように切欠部１１２Ａ〜１１２Ｆが形成される右縁部１１ｂが長くなると、切欠深さＬ１は変化しない又は深くなるように形成される。これにより、大きな書類を扱う場合であっても切欠部１１２Ａ〜１１２Ｆに親指を当てやすくなり、ファイル１Ａ〜１Ｆの捲り操作を容易に行うことができる。
【００２７】
切欠部１１２Ａ〜１１２Ｆの形状は、切欠部１１２Ａ〜１１２Ｆが形成される第一シート１１の右縁部１１ｂが長くなると、第一凸湾曲部１１２ａ、第二凸湾曲部１１２ｂ及び凹湾曲部１１２ｃの各曲率半径Ｒ１〜Ｒ３が変化しない又は増加する。また、図１０の「Ｒ２−Ｒ３」は、曲率半径Ｒ２から曲率半径Ｒ３を減じた値である。切欠部１１２Ａ〜１１２Ｆの形状は、切欠部１１２Ａ〜１１２Ｉが形成される第一シート１１の右縁部１１ｂが長くなると、第一凸湾曲部１１２ａの曲率半径Ｒ１及び凹湾曲部１１２ｃの曲率半径Ｒ３の増加量に比べて第二凸湾曲部１１２ｂの曲率半径Ｒ２の増加量が変化しない又は大きくなるように設定されている。
【００２８】
次に、適用例７〜適用例９として、封筒袋の収納に適したサイズのクリアーホルダー（ファイル１Ｇ〜１Ｉ）に、切欠部１１２Ｇ〜１１２Ｉを設けた例を説明する。なお、図１０において、長形３号に対応するファイル１ＧではＡ４サイズの書類を横方向に３つ折りにした寸法が示され、長形４号に対応するファイル１ＨではＢ５サイズの書類を横方向に４つ折りにした寸法が示され、洋形２号に対応するファイル１ＩではＡ４サイズの書類を縦横十字折りにした寸法が示されている。図１０に示したファイル１Ｇ〜１Ｉに収納する書類のサイズは一例であり、用途に応じて様々な書類を折り曲げたり或いは折り曲げずに収納することができる。
【００２９】
（適用例７）
図５（ｂ）は適用例７における長形３号サイズの封筒（１２０ｍｍ×２３５ｍｍ）に収納可能なファイル１Ｇを示す図である。ファイル１Ｇは、横辺（上縁部１１ａ，１２ａ及び下縁部１１ｃ，１２ｃ）が１１５ｍｍであり、縦辺（右縁部１１ｂ，１２ｂ）が２３０ｍｍとなるように形成される。また、切欠部１１２Ｇにおいて、第一凸湾曲部１１２ａの曲率半径Ｒ１は３３ｍｍ、第二凸湾曲部１１２ｂの曲率半径Ｒ２は７２ｍｍ、凹湾曲部１１２ｃの曲率半径Ｒ３は１７．５ｍｍである。
【００３０】
（適用例８）
図６（ａ）は適用例８における長形４号サイズの封筒（９０ｍｍ×２０５ｍｍ）に収納可能なファイル１Ｈを示す図である。ファイル１Ｈは、横辺（上縁部１１ａ，１２ａ及び下縁部１１ｃ，１２ｃ）が８５ｍｍであり、縦辺（右縁部１１ｂ，１２ｂ）が２００ｍｍとなるように形成される。また、切欠部１１２Ｈにおいて、第一凸湾曲部１１２ａの曲率半径Ｒ１は１０．５ｍｍ、第二凸湾曲部１１２ｂの曲率半径Ｒ２は９５ｍｍ、凹湾曲部１１２ｃの曲率半径Ｒ３は２３．５ｍｍである。
【００３１】
（適用例９）
図６（ｂ）は適用例９における洋型２号サイズの封筒（１１４ｍｍ×１６２ｍｍ）に収納可能なファイル１Ｉを示す図である。ファイル１Ｉは、横辺（上縁部１１ａ，１２ａ及び下縁部１１ｃ，１２ｃ）が１０９ｍｍであり、縦辺（右縁部１１ｂ，１２ｂ）が１５７ｍｍとなるように形成される。また、切欠部１１２Ｉにおいて、第一凸湾曲部１１２ａの曲率半径Ｒ１は１０．５ｍｍ、第二凸湾曲部１１２ｂの曲率半径Ｒ２は９５ｍｍ、凹湾曲部１１２ｃの曲率半径Ｒ３は２３．５ｍｍである。
【００３２】
ファイル１Ｇ〜１Ｉの外形形状は、収納対象の封筒サイズよりも縦横それぞれ５ｍｍ小さい寸法に設定しており、書類を入れたファイル１Ｇ〜１Ｉを対応する各封筒に丁度よく収納できるように設定されている。
【００３３】
また、ファイル１Ｇ,１Ｈは、図１０に示すように切欠部１１２Ｇ,１１２Ｈが形成される右縁部１１ｂが長くなると、切欠深さＬ１が深くなるように形成される。一方、ファイル１Ｉの右縁部１１ｂはファイル１Ｈの右縁部１１ｂよりも短いが、ファイル１Ｉの切欠部１１２Ｉはファイル１Ｈの切欠部１１２Ｈの切欠深さＬ１と同じ７．６ｍｍにしている。ファイル１Ｉでは、書類が切欠部１１２Ｉにおいて３．６ｍｍ露出することになるが切欠部１１２Ｉの空間を広く確保しているため、ファイル１Ｉの捲り操作を容易としつつ、書類を入れたファイル１Ｉを対応する封筒に丁度よく収納できるようにしている。
【００３４】
次に、適用例１０〜適用例１３として、レールホルダ（ファイル１Ｊ〜１Ｍ）に切欠部１１２Ｊ〜１１２Ｍを設けた例について説明する。
【００３５】
（適用例１０）
図７（ａ）はＡ４サイズの書類を縦向きに収納するファイル１Ｊを示す図である。ファイル１Ｊは、書類Ｐ１，Ｐ２を第一シート１１及び第二シート１２の間に配置して、挟持レール２により閉塞部１３１側における第一シート１１及び第二シート１２を両外面から挟持することにより、書類Ｐ１,Ｐ２を収納保持することができる。第一シート１１及び第二シート１２は、図７（ｂ）のＶＩＩ−ＶＩＩ断面図に示すように、略コ字枠状の挟持レール２によって挟持される。挟持レール２の先端挟持部２１は互いに内向き方向に弾発することができる。従って、挟持レール２をファイル１Ｊの第一シート１１及び第二シート１２の両外面から挟むと、内部に収納された書類Ｐ１,Ｐ２は、第一シート１１及び第二シート１２とともに挟圧することができる。先端挟持部２１は第一シート１１及び第二シートの平面視略同位置の上下方向に形成された谷折部１１３付近を挟持する。よって、書類Ｐ１，Ｐ２はファイル１Ｊ内からの脱落が防止される。また、本実施形態では、上縁部１１ａ，１２ａ、右縁部１１ｂ，１２ｂ及び下縁部１１ｃ，１２ｃは、それぞれ開口部１４１，１４２，１４３として形成される。
【００３６】
ファイル１Ｊは、横辺（上縁部１１ａ，１２ａ及び下縁部１１ｃ，１２ｃ）が２２０ｍｍであり、縦辺（右縁部１１ｂ，１２ｂ）が３０６ｍｍとなるように形成される。また、切欠部１１２Ｊにおいて、第一凸湾曲部１１２ａの曲率半径Ｒ１は３０ｍｍ、第二凸湾曲部１１２ｂの曲率半径Ｒ２は１００ｍｍ、凹湾曲部１１２ｃの曲率半径Ｒ３は２４ｍｍである。
【００３７】
（適用例１１）
図８（ａ）はＡ３サイズの書類を横向きに収納するファイル１Ｋを示す図である。ファイル１Ｋは、横辺（上縁部１１ａ，１２ａ及び下縁部１１ｃ，１２ｃ）が４２５ｍｍであり、縦辺（右縁部１１ｂ，１２ｂ）が３０６ｍｍとなるように形成される。また、切欠部１１２Ｋにおいて、第一凸湾曲部１１２ａの曲率半径Ｒ１は３０ｍｍ、第二凸湾曲部１１２ｂの曲率半径Ｒ２は８０ｍｍ、凹湾曲部１１２ｃの曲率半径Ｒ３は２０ｍｍである。
【００３８】
（適用例１２）
図８（ｂ）はＡ４サイズの書類を横向きに収納するファイル１Ｌを示す図である。ファイル１Ｌは、横辺（上縁部１１ａ，１２ａ及び下縁部１１ｃ，１２ｃ）が３０７ｍｍであり、縦辺（右縁部１１ｂ，１２ｂ）が２１９ｍｍとなるように形成される。また、切欠部１１２Ｌにおいて、第一凸湾曲部１１２ａの曲率半径Ｒ１は３０ｍｍ、第二凸湾曲部１１２ｂの曲率半径Ｒ２は１００ｍｍ、凹湾曲部１１２ｃの曲率半径Ｒ３は２４ｍｍである。
【００３９】
（適用例１３）
図９はＢ４サイズの書類を横向きに収納するファイル１Ｍを示す図である。ファイル１Ｍは、横辺（上縁部１１ａ，１２ａ及び下縁部１１ｃ，１２ｃ）が３７４ｍｍであり、縦辺（右縁部１１ｂ，１２ｂ）が２６７ｍｍとなるように形成される。また、切欠部１１２Ｍにおいて、第一凸湾曲部１１２ａの曲率半径Ｒ１は３０ｍｍ、第二凸湾曲部１１２ｂの曲率半径Ｒ２は１００ｍｍ、凹湾曲部１１２ｃの曲率半径Ｒ３は２４ｍｍである。
【００４０】
適用例１０〜適用例１３のファイル１Ｊ〜１Ｍは、図１０に示すようにいずれも露出量Ｌ２を４ｍｍとしている。ファイル１Ｊ〜１Ｍは挟持レール２により多くの書類を収納することができるため、書類一枚一枚を検索しやすくすることができる。
【００４１】
以上、切欠部１１２Ａ〜１１２Ｍを備えたファイル１Ａ〜１Ｍについて説明した。切欠部１１２Ａ〜１１２Ｍの切欠深さＬ１（図２（ｂ）参照）は、第一シート１１と第二シート１２との離間を容易とするために、指の大きさを考慮してある程度以上の寸法に設定する必要がある。例えば、切欠部１１２Ａ〜１１２Ｍに親指を当てて第二シート１２を第一シート１１と離間させる操作を行う場合、切欠部１１２Ａ〜１１２Ｍの切欠深さＬ１を親指の太さの４０％程度以上とすると、第二シート１２の右縁部１２ｂに親指が掛けやすくなる。
【００４２】
また、切欠部１１２Ａ〜１１２Ｍの開口面積が広すぎると書類の露出が大きくなって保護されない領域が生ずるが、切欠深さＬ１を親指の太さ程度以下とすれば、第二シート１２の右縁部１２ｂに親指を掛ける操作性を阻害せずに書類の汚損から保護することができる。
【００４３】
したがって、例えば、親指の太さを１９ｍｍ（例えば、２０１２年に公開された産業技術総合研究所の"AIST日本人の手の寸法データ"（ＵＲＬ：https://unit.aist.go.jp/hiri/dhrg/ja/dhdb/hand/index.html）によれば親指の第１指関節幅の直径は１９．１ｍｍである）とすると、切欠部１１２Ａ〜１１２Ｍの切欠深さＬ１は、親指の太さの４０％である７．６ｍｍ以上１９ｍｍ以下とすることにより、第一シート１１と第二シート１２との離間を容易としながら、書類を保護することができる。
【００４４】
また、図２（ｂ）に示したように右縁部１１ｂに対して斜めから親指を当てると、第二シート１２を捲る操作がしやすい。切欠部１１２Ａ〜１１２Ｍは、第一凸湾曲部１１２ａの曲率半径Ｒ１が第二凸湾曲部１１２ｂの曲率半径Ｒ２よりも小さくなるように非対称に形成したため、親指が第二凸湾曲部１１２ｂの内縁に干渉することがない。そしてその非対称形状によって、切欠部１１２Ａ〜１１２Ｍ内の第一凸湾曲部１１２ａ側に第二シート１２の捲り操作に使用されない未使用領域を低減したため、書類が覆われる領域を多く確保することができる。
【００４５】
また、切欠部１１２Ａ〜１１２Ｍは、緩やかに湾曲しているため、第一シート１１及び第二シート１２を開く際に指にやさしい形状である。また、ファイル１Ａ〜１Ｍを封筒袋等に更に収納する場合は、第一凸湾曲部１１２ａ及び第二凸湾曲部１１２ｂの各円弧が略直線状に形成される右縁部１１ｂと外接するように形成されるため、収納袋の傷を低減することができる。
【００４６】
以上、本発明の実施形態を説明したが、本発明は本実施形態によって限定されることなく、種々の形態で実施することができる。例えば、切欠部１１２Ａ〜１１２Ｍは、ファイル１Ａ〜１Ｍの第一シート１１及び第二シート１２の両方に位置をずらして設けてもよい。
【００４７】
また、切欠部はクリアーファイルに形成してもよい。ここで、クリアーファイルとは、２枚の矩形状シートを重ねて３辺を閉塞させた袋状シートを複数枚ページ捲り可能に収納した収納用具である。各袋状シートには書類を収納することができ、クリアーファイルの表表紙及び裏表紙ののど側と接合される。切欠部の位置としては、クリアーファイルの表表紙（本実施形態の第一シート１１に相当）又は裏表紙（本実施形態の第二シート１２に相当）の前小口側に形成してもよし、袋状シートの開口側の縁部に形成してもよい。
【００４８】
また、適用例１〜９のファイル１Ａ〜１Ｉに示したようなクリアーホルダーを複数枚ページ捲り可能に収納したクリアーホルダーファイルに、切欠部を形成してもよい。切欠部は、クリアーホルダーファイルの表表紙又は裏表紙の前小口側に形成してもよいし、各クリアーホルダーの開口側の縁部に形成してもよい。
【００４９】
また、切欠部１１２Ａ〜１１２Ｍに示したような切欠部は、複数の書類を綴じることができるレポートファイルや製本ファイル等の他の収納用具の表表紙又は裏表紙の前小口側に形成してもよい。
【００５０】
さらに、本実施形態で説明したファイル１Ａ〜１Ｍの第一シート１１又は第二シート１２には、名刺、付箋又はインデックス等を取り付け可能なスリットを形成したり、名刺又はデータを保存するメディア等を収納可能なポケットを形成する構成としてもよい。
【００５１】
また、ファイル１Ａ〜１Ｍの閉塞部１３１，１３２側にはマチを設けてもよい。また、ファイル１Ａ〜１Ｍの閉塞部１３１，１３２側の縁部又は開口部１４１，１４２側の縁部には、升目状の罫線を刻印により設けてラベルを貼着したり各種情報を筆記する際のガイドラインを形成してもよい。
【００５２】
また、ファイル１Ａ〜１Ｍの開口部１４１，１４２,１４３側の縁部には、矩形状のシート片をインデックスとして延設するように設けてもよい。インデックスには、ファイル１Ａ〜１Ｍの種別等を、シールを貼着して又は適宜の筆記具で記入して表示させることができる。
【符号の説明】
【００５３】
１Ａ〜１Ｍ  ファイル                      ２        挟持レール
１１      第一シート                      １１ａ    上縁部
１１ｂ    右縁部                          １１ｂ１  一方端
１１ｂ２  他方端                          １１ｃ    下縁部
１２      第二シート                      １２ａ    上縁部
１２ｂ    右縁部                          １２ｃ    下縁部
２１      先端挟持部                      １１１    切欠部
１１１ａ  凹湾曲部                        １１１ｂ  上側縁辺
１１１ｃ  下側縁片
１１２Ａ〜１１２Ｍ  切欠部                １１２ａ  第一凸湾曲部
１１２ｂ  第二凸湾曲部                    １１２ｃ  凹湾曲部
１１３    谷折部                          １３１    閉塞部
１３２    閉塞部                          １３２ａ  溶着部
１４１    開口部                          １４２    開口部
１４３    開口部                          １５１    収納部
Ｌ１      切欠深さ                        Ｌ２      露出量
Ｐ１      書類                            Ｐ２      書類
Ｒ１      曲率半径                        Ｒ２      曲率半径
Ｒ３      曲率半径
【図１】
2020055188.tif 000003
【図２】
2020055188.tif 000004
【図３】
2020055188.tif 000005
【図４】
2020055188.tif 000006
【図５】
2020055188.tif 000007
【図６】
2020055188.tif 000008
【図７】
2020055188.tif 000009
【図８】
2020055188.tif 000010
【図９】
2020055188.tif 000011
【図１０】
2020055188.tif 000012